(57)【要約】【課題】シャープペンシル本体から外した消しゴムキャップを固定可能として脱落、音の発生を無くし、紛失することを防止することができるシャープペンシルを提供する。【解決手段】シャープペンシル１０を、シャープペンシル本体２０と、シャープペンシル本体２０に収納される消しゴム３０と、消しゴム３０を覆うとともにシャープペンシル本体２０に係着される消しゴムキャップ４０と、シャープペンシル本体２０に配設されるクリップ６０と、を備える構成とする。シャープペンシル本体２０の、消しゴムキャップ４０が消しゴム３０を覆う位置とは異なる位置に、消しゴムキャップ４０と係着する係着部２２を形成し、消しゴムキャップ４０に、係着部２２と係着可能な被係着部４１を形成とする。【選択図】図２
0003195336.tif 000002
【実用新案登録請求の範囲】
【請求項１】
シャープペンシル本体と、前記シャープペンシル本体に収納される消しゴムと、前記消しゴムを覆うとともに前記シャープペンシル本体に係着される消しゴムキャップと、前記シャープペンシル本体に配設されるクリップと、を有するシャープペンシルであって、
前記消しゴムキャップが、前記消しゴムを覆う位置とは異なる位置において、前記シャープペンシル本体、又は／及び、前記クリップと係着可能に形成されていることを特徴とするシャープペンシル。
【請求項２】
前記シャープペンシル本体の前記消しゴムキャップが前記消しゴムを覆う位置とは異なる位置、又は、前記クリップには、前記消しゴムキャップと係着する係着部が形成され、
前記消しゴムキャップには、前記係着部と係着可能な被係着部が形成され、
前記係着部と前記被係着部とを係合させることにより、前記消しゴムキャップが、前記シャープペンシル本体、又は、前記クリップと、係着されていることを特徴とする請求項１記載のシャープペンシル。
【請求項３】
前記シャープペンシル本体に前記係着部が形成される場合において、前記シャープペンシル本体の前記消しゴムが配置される側に、前記係着部が配置され、
前記シャープペンシル本体の前記係着部が、前記シャープペンシル本体の中心線方向からみて、前記シャープペンシル本体の中心線の周りに複数配設されていることを特徴とする請求項２記載のシャープペンシル。
【請求項４】
前記シャープペンシル本体は、前記シャープペンシル本体の外周面に嵌められるとともに前記シャープペンシル本体に対して回動可能な円環状の回動部材を備え、
前記回動部材の外周面には、前記係着部が配設されていることを特徴とする請求項２記載のシャープペンシル。
【請求項５】
前記係着部が凸状に形成され、前記被係着部が凹状に形成され、
又は、
前記係着部が凹状に形成され、前記被係着部が凸状に形成されていることを特徴とする請求項２、３又は４記載のシャープペンシル。
【請求項６】
前記係着部が凸状に形成される場合において、
前記係着部には、前記係着部が突出する方向に沿って切り欠きが形成されていることを特徴とする請求項５記載のシャープペンシル。
【請求項７】
前記クリップに前記係着部が形成される場合において、
前記係着部は、前記消しゴムキャップの周壁部の一部を挟持可能な挟持部を有し、前記挟持部には、前記消しゴムキャップと係合可能な係合部が形成され、
前記消しゴムキャップの前記被係着部には、前記係合部と係合可能な被係合部が形成され、
前記係合部と前記被係合部とが係合されるとともに、前記挟持部により挟持されることにより、前記消しゴムキャップが、前記クリップに係着されることを特徴とする請求項２記載のシャープペンシル。
【請求項８】
前記クリップには、前記消しゴムキャップと係合可能な係合部が形成され、
前記消しゴムキャップには、前記係合部と係合可能な被係合部が形成され、
前記消しゴムキャップが、前記係合部と前記被係合部とが係合されるとともに、前記消しゴムキャップが、前記クリップと、前記シャープペンシル本体とで挟持されることにより、前記シャープペンシル本体及び前記クリップと係着されることを特徴とする請求項１記載のシャープペンシル。
【請求項９】
前記消しゴムキャップと、前記シャープペンシル本体又は前記クリップ、とは、線状部材で連結されていることを特徴とする請求項１〜８いずれか一記載のシャープペンシル。
【考案の詳細な説明】
【技術分野】
【０００１】
本考案は、消しゴム付きのシャープペンシルにおいて消しゴムキャップの紛失を防止するシャープペンシルに関する。
【背景技術】
【０００２】
消しゴム付きのシャープペンシルにおいて、消しゴムを使用する際には、消しゴムを覆う消しゴムキャップを外して、消しゴムで文字を消すことになるが、当該消しゴムキャップは、小さな部材で形成され簡単に転動してしまい、紛失してしまうことが多かった。
【０００３】
これに対して、特許文献１に記載されるシャープペンシルがあり、円筒状の消しゴムキャップを取り外した後、先端突起部を有するクリップ（ホルダ）に挿通させて、消しゴムキャップが、紛失することを防止することとされていた。
【先行技術文献】
【特許文献】
【０００４】
【特許文献１】登録実用新案第３１３０２３２号公報
【考案の概要】
【考案が解決しようとする課題】
【０００５】
しかし、上記に示すシャープペンシルでは、消しゴムキャップが固定されていないので挿通された消しゴムキャップは、クリップに対して移動可能であり、シャープペンシルの持ち変え動作に伴って、耳障りな音を発生させるうえ、先端突起部とシャープペンシル本体の隙間から脱落する可能性があるという問題があった。
【０００６】
本考案は上記事情に鑑み、シャープペンシル本体から外した消しゴムキャップを固定可能として脱落、音の発生を無くし、紛失することを防止することができるシャープペンシルを提供するものである。
【課題を解決するための手段】
【０００７】
請求項１記載の考案では、シャープペンシル本体と、シャープペンシル本体に収納される消しゴムと、消しゴムを覆うとともにシャープペンシル本体に係着される消しゴムキャップと、シャープペンシル本体に配設されるクリップと、を有するシャープペンシルであって、消しゴムキャップが、消しゴムを覆う位置とは異なる位置において、シャープペンシル本体、又は／及び、クリップと係着可能に形成されている。
【０００８】
これによれば、消しゴムキャップを、消しゴムを覆う位置とは異なる位置において、シャープペンシル本体、又は／及び、クリップと係着させることで、書き損じをしたときに、消しゴムをいつでも使用できるとともに、音の発生が無くなり、消しゴムキャップを紛失しないように注意しなくてすむので、消しゴムでの消し作業に専念することができる。
【０００９】
また、シャープペンシル本体の消しゴムキャップが消しゴムを覆う位置とは異なる位置、又は、クリップには、消しゴムキャップと係着する係着部が形成され、消しゴムキャップには、係着部と係着可能な被係着部が形成され、係着部と被係着部とを係合させることにより、消しゴムキャップが、シャープペンシル本体、又は、クリップと、係着されている。
【００１０】
このように、消しゴムキャップを、消しゴムを覆う位置とは異なる位置において、シャープペンシル本体、又は、クリップと係着させる構成としても、上述したような消しゴムでの消し作業に専念することができる。
【００１１】
また、シャープペンシル本体に係着部が形成される場合において、シャープペンシル本体の消しゴムが配置される側に、係着部が配置され、シャープペンシル本体の係着部が、シャープペンシル本体の中心線方向からみて、シャープペンシル本体の中心線の周りに複数配設されている。
【００１２】
これによれば、書くときの握りから、消しゴムで消すときの握りに握りかえる動作を考慮して、消す対象を見るときの視線を妨げない位置に、消しゴムキャップの係着位置を調節することが可能となり、消しゴムでの消し作業をし易くすることができる。
【００１３】
また、シャープペンシル本体を、シャープペンシル本体の外周面に嵌められるとともにシャープペンシル本体に対して回動可能な円環状の回動部材を備える構成とし、回動部材の外周面に、係着部を配設すれば、回動部材を回動させることにより、消す対象を見るときの視線を妨げない位置に、消しゴムキャップの係着位置を調節することが可能となり、消しゴムでの消し作業をし易くすることができる。
【００１４】
また、係着部を凸状に形成し、被係着部を凹状に形成し、又は、係着部を凹状に形成し、被係着部を凸状に形成することによっても、上記効果を奏することができる。
【００１５】
また、係着部が凸状に形成される場合において、係着部に、係着部が突出する方向に沿って切り欠きを形成すれば、消しゴムキャップを係着部に嵌め込むときに、係着部が縮径可能となるので、嵌め込み作業を容易にすることができる。
【００１６】
また、クリップに係着部が形成される場合において、係着部は、消しゴムキャップの周壁部の一部を挟持可能な挟持部を有し、挟持部には、消しゴムキャップと係合可能な係合部が形成され、消しゴムキャップの被係着部には、係合部と係合可能な被係合部が形成され、係合部と被係合部とが係合されるとともに、挟持部により挟持されることにより、消しゴムキャップが、クリップに係着される。
【００１７】
このような構成としても、上述したような消しゴムでの消し作業に専念することができる。
【００１８】
また、クリップには、消しゴムキャップと係合可能な係合部が形成され、消しゴムキャップには、係合部と係合可能な被係合部が形成され、消しゴムキャップが、係合部と被係合部とが係合されるとともに、消しゴムキャップが、クリップと、シャープペンシル本体とで挟持されることにより、シャープペンシル本体及びクリップと係着される。
【００１９】
このような構成としても、上述したような消しゴムでの消し作業に専念することができる。
【００２０】
また、消しゴムキャップと、シャープペンシル本体又はクリップ、とを、線状部材で連結すれば、仮に、消しゴムキャップが外れてしまっても、紛失することを防止することができる。
【図面の簡単な説明】
【００２１】
【図１】本考案の第一の実施形態のシャープペンシルの消しゴムを使用しないときの（ａ）は平面図であり、（ｂ）は要部正面図である。
【図２】同実施形態のシャープペンシルの消しゴムを使用するときの（ａ）は平面図であり、（ｂ）は要部正面図である。
【図３】本考案の第二の実施形態のシャープペンシルの消しゴムを使用しないときの（ａ）は平面図であり、（ｂ）は要部側面図である。
【図４】同実施形態のシャープペンシルの消しゴムを使用するときの（ａ）は平面図であり、（ｂ）は要部側面図である。
【図５】係着部の変形例の（ａ）消しゴムキャップがシャープペンシル本体と係着された状態の外観図、（ｂ）は消しゴムキャップが外された状態の断面図、（ｃ）は消しゴムキャップがシャープペンシル本体の係着部と係着された状態の断面図である。
【図６】係着部の変形例の（ａ）消しゴムキャップがクリップと係着された状態の外観図、（ｂ）は消しゴムキャップが外された状態の断面図、（ｃ）は消しゴムキャップがクリップの係着部と係着された状態の断面図である。
【図７】消しゴムキャップをクリップで係着させる場合の変形例の、シャープペンシルの消しゴムを使用しないときの要部側面図である。
【図８】同変形例のシャープペンシルの消しゴムを使用するときの要部側面図である。
【図９】消しゴムキャップをシャープペンシル本体とクリップに係着させる実施例の、シャープペンシルの消しゴムを使用しないときの（ａ）は要部側面図、（ｂ）は平面図である。
【図１０】同実施例のシャープペンシルの消しゴムを使用するときの要部側面図である。
【図１１】本考案の第一の実施形態の変形例のシャープペンシルの消しゴムを使用しないときの（ａ）は平面図であり、（ｂ）は要部正面図である。
【図１２】同実施形態のシャープペンシルの変形例の使用するときの（ａ）は平面図であり、（ｂ）は要部正面図である。
【考案を実施するための形態】
【００２２】
本考案によるシャープペンシルの第一の実施形態を図面に基づいて説明する。以下の説明において、各図面に記載される矢印の、Ｆを前、Ｂを後ろ、Ｒを右、Ｌを左、Ｕを上、Ｄを下、とする。
【００２３】
シャープペンシル１０は、図１、２に示すように、シャープペンシル本体２０と、消しゴム３０と、消しゴムキャップ４０と、クリップ６０と、を有し、下端部には、芯を保護するガイドパイプを有した図示しない口金が配設され、内部に芯を送り出す機構を備えたノック式のシャープペンシル（単芯式）とされている。
【００２４】
シャープペンシル本体２０は、上下方向に長い筒状に形成されている。シャープペンシル本体２０の上端部には、中心線Ｃ方向に沿って上側に延びて、消しゴム３０を保持可能とする筒状の保持部２１が配設されている。保持部２１の外周面には、図１（ｂ）の丸内に示すように、径方向外側に断面半円弧状に突出して形成された突出部２１ａが、円周方向に沿って配設されている。突出部２１ａは、上下方向に二列配置されている。保持部２１は、上下方向（突出方向）に沿って切り欠き２１ｂが形成され、消しゴムキャップ４０を嵌め込むときに縮径可能に形成されている。
【００２５】
シャープペンシル本体２０の、保持部２１とは異なる位置（実用新案登録請求の範囲の消しゴムキャップが消しゴムを覆う位置とは異なる位置）、かつ、シャープペンシル本体２０の上側（消しゴムが配置される側）には、消しゴムキャップ４０と係着する係着部２２（区別するときは、クリップから時計周り順に係着部２２１、係着部２２２、係着部２２３とする）が配設されている。
【００２６】
本実施形態では、係着部２２は、保持部２１と同様の構成で、図１（ａ）に示すように、シャープペンシル本体２０の保持部２１の下側の外周面に、中心線Ｃ方向からみて、中心線Ｃ方向に直交する方向に沿って延びて、クリップ６０を基準として９０度ずつ角度差を設けて三つ配置されている。
【００２７】
各係着部２２の外周面には、径方向外側に断面半円弧状に突出して形成された突出部２２ａが、円周方向に沿って配設されている。突出部２２ａは、係着部２２１、２２３においては左右方向、係着部２２２においては前後方向に二列配置されている。係着部２２は、係着部２２１、２２３においては左右方向（突出方向）、係着部２２２においては前後方向（突出方向）に沿って切り欠き２２ｂが形成され、消しゴムキャップ４０を嵌め込むときに縮径可能に形成されている。
【００２８】
消しゴム３０は、円柱状に形成され、保持部２１の内側に嵌め込まれて、上側の一部を保持部２１より上側に突出させた状態で、保持部２１の内周面により保持されている。
【００２９】
消しゴムキャップ４０は、図１の（ｂ）の状態において、下端側が開口し上端側が閉塞する略円筒状に形成され、消しゴム３０を外側から覆い可能とされている。消しゴムキャップ４０の下側の内周面には、図１（ｂ）の丸内に示すように、径方向外側に向かう断面半円弧状の有底溝として形成された凹溝４０ａが、円周方向に沿って配設されている。凹溝４０ａは、上下方向に二列配置されている。
【００３０】
本実施形態では、凹溝４０ａを含む消しゴムキャップ４０の下側の内周面の、保持部２１の外周面、係着部２２の外周面と嵌め合わされる部分が被係着部４１とされる。
【００３１】
消しゴムキャップ４０と、シャープペンシル本体２０とは、線状部材５０で連結されている。本実施形態においては、線状部材５０は、弾性を有する合成繊維で形成されて伸縮自在とされている。
【００３２】
シャープペンシル本体２０には、携帯時に衣服のポケット等に固定するためのクリップ６０が配設されている。本実施形態では、前方に延びた後、前端側からさらに下側に延びて略逆Ｌ字状に形成され、クリップ６０を下側に押し込むことによって、芯を送り出す既存のスライド型のクリップが用いられている。
【００３３】
次に、シャープペンシル１０の使用態様を説明する。図１（ａ）、（ｂ）に示すシャープペンシル１０を使用しない状態では、保持部２１に消しゴムキャップ４０を嵌め込んで、消しゴム３０を外側から覆っておく。シャープペンシル１０を使用するときに、図２（ａ）、（ｂ）に示すように、消しゴムキャップ４０を保持部２１から外して係着部２２に嵌め込む。図２（ａ）、（ｂ）では係着部２２３に嵌め込んでいる。
【００３４】
このとき、シャープペンシル１０の握り方、反転動作は人により異なるので、クリップ６０を基準として９０度ずつ角度差を設けて三つ配置されている係着部２２を、反転動作、その後の消しゴム３０での消し動作において、消しゴムキャップ４０が、消す対象を見るときの視線を妨げない位置となるように、任意の係着部２２を選ぶことができる。
【００３５】
また、消しゴムキャップ４０と、シャープペンシル本体２０とは、線状部材５０で連結されているので、操作を誤っても消しゴムキャップ４０が紛失することはない。
【００３６】
シャープペンシル１０で筆記し、誤字が生じたら、シャープペンシル１０を１８０度反転させて、消しゴム３０で誤字を消す。シャープペンシル１０の使用を終えるときには、係着部２２から消しゴムキャップ４０を外し、図１（ａ）、（ｂ）に示すように、保持部２１に嵌め込んで消しゴム３０を外側から覆っておく。
【００３７】
上記構成のシャープペンシル１０では、シャープペンシル本体２０と、シャープペンシル本体２０に収納される消しゴム３０と、消しゴム３０を覆うとともにシャープペンシル本体２０に係着される消しゴムキャップ４０と、シャープペンシル本体２０に配設されるクリップ６０と、を有するシャープペンシルであって、シャープペンシル本体２０の消しゴムキャップ４０が消しゴム３０を覆う位置とは異なる位置には、消しゴムキャップ４０と係着する係着部２２が形成され、消しゴムキャップ４０には、係着部２２と係着可能な被係着部４１が形成されている。
【００３８】
これによれば、消しゴムキャップ４０と、シャープペンシル本体２０とを、係着させることで、書き損じをしたときに、消しゴム３０をいつでも使用できるとともに、音の発生が無くなり、消しゴムキャップ４０を紛失しないように注意しなくてすむので、消しゴム３０での消し作業に専念することができる。
【００３９】
また、シャープペンシル本体２０の消しゴム３０が配置される側に、係着部２２が形成され、シャープペンシル本体２０の係着部２２が、シャープペンシル本体２０の中心線Ｃ方向からみて、シャープペンシル本体２０の中心線Ｃの周りに三つ配設されている。
【００４０】
これによれば、書くときの握りから、消しゴム３０で消すときの握りに握りかえる動作を考慮して、消す対象を見るときの視線を妨げない位置に、消しゴムキャップ４０の係着位置を調節することが可能となり、消しゴム３０での消し作業をし易くすることができる。
【００４１】
また、係着部２２を凸状に形成し、被係着部４１を凹状に形成しているので、上記効果を奏することができる。
【００４２】
また、係着部２２に、係着部２２が突出する方向に沿って切り欠き２２ｂを形成しているので、消しゴムキャップ４０を係着部２２に嵌め込むときに、係着部２２が縮径可能となるので、嵌め込み作業を容易にすることができる。
【００４３】
また、消しゴムキャップ４０と、シャープペンシル本体２０とを、線状部材５０で連結しているので、仮に、消しゴムキャップ４０が外れてしまっても、紛失することを防止することができる。
【００４４】
本考案の第二の実施形態を説明する。以下の説明において、第一の実施形態と同じ構成については、同一符号を付し全部又は一部の説明を省略する。
【００４５】
シャープペンシル１０Ａでは、図３、４に示すように、クリップ６０に、消しゴムキャップ４０と係着する係着部６２が形成され、消しゴムキャップ４０には、係着部６２と係着可能な被係着部４１が形成されている。
【００４６】
本実施形態では、クリップ６０の上端部に、図３（ｂ）に示すように、中心線Ｃ方向に沿って上側に延びて、筒状の係着部６２が配設されている。係着部６２の外周面には、径方向外側に断面半円弧状に突出して形成された突出部６２ａが、円周方向に沿って配設されている。突出部６２ａは、上下方向に二列配置されている。係着部６２には、図３（ａ）に示すように、上下方向（突出方向）に沿って切り欠き６２ｂが形成され、消しゴムキャップ４０を嵌め込むときに縮径可能に形成されている。
【００４７】
そして、シャープペンシル１０Ａを使用するときには、図４（ａ）、（ｂ）に示すように、消しゴムキャップ４０を係着するクリップ６０に配設される係着部６２に嵌め込む。
【００４８】
このような構成によっても、消しゴムキャップ４０を紛失しないように注意しなくてすむので、消しゴム３０での消し作業に専念することができる。
【００４９】
本発明のシャープペンシルは、上記構成に限定されるものではない。即ち、本発明の要旨を逸脱しない限り各種の設計変更等が可能である。
【００５０】
例えば、係着部を凹状に形成し、被係着部を凸状に形成することも可能である。図５（ａ）に示す状態において、消しゴムキャップ７０の下端部に、中心線Ｃ方向に沿って下側に延びて、筒状の被係着部７１を配設し、被係着部７１の外周面に、径方向外側に断面半円弧状に突出して形成された突出部７１ａを円周方向に沿って配設することができる。
【００５１】
この場合、図５（ｂ）、（ｃ）に示すように、シャープペンシル本体２０の上端面から下側に向かう円環状の有底溝２３を形成し、有底溝２３の外周側の面に、径方向外側に向かう断面半円弧状の有底溝として形成された凹溝２３ａを、円周方向に沿って配設して、シャープペンシル本体２０と消しゴムキャップ７０とを嵌め込むことで消しゴム３０を覆い可能とする。
【００５２】
そして、シャープペンシル本体２０の外周面から中心線Ｃに向かう円環状の有底溝２４を形成し、有底溝の外周側の面に、径方向外側に向かう断面半円弧状の有底溝として形成された凹溝２４ａを円周方向に沿って配設して、シャープペンシル本体２０と消しゴムキャップ７０とを嵌め込み可能とする。この場合、有底溝２４内が係着部２５とされる。
【００５３】
また、クリップ６０に係着部６４を配設する場合には、図６（ａ）、（ｂ）、（ｃ）に示すように、クリップ６０の上端面から下側に向かう円環状の有底溝６３を形成し、有底溝６３の外周側の面に、径方向外側に向かう断面半円弧状の有底溝として形成された凹溝６３ａを、円周方向に沿って配設して、シャープペンシル本体２０とクリップ６０とを嵌め込み可能とする。この場合、有底溝６３内が係着部６４とされる。
【００５４】
上記のように、係着部６４を凹状に形成し、被係着部７１を凸状に形成することによっても、消しゴムキャップ７０を紛失しないように注意しなくてすむので、消しゴム３０での消し作業に専念することができる。
【００５５】
また、図７、８に示す変形例のように、消しゴムキャップ４０の周壁部４０ｂの一部と、クリップ８０を係着させる構成をとることもできる。クリップ８０に、消しゴムキャップ４０と係着する係着部８２が形成され、消しゴムキャップ４０には、係着部８２と係着可能な被係着部４１が形成されている。
【００５６】
係着部８２は、上端面から下方に向かうとともに、消しゴムキャップ４０の周壁部４０ｂに対応した形状に切り欠いて形成された挟持部８３を有している。挟持部８３は、前後方向の隙間を消しゴムキャップ４０の周壁部４０ｂの厚みと略同一に形成され、前後方向の壁面で消しゴムキャップ４０の周壁部４０ｂの一部を挟持可能とされている。
【００５７】
挟持部８３の底部分の上側近傍には、後側かつ略左右方向に沿って突出する突出部８３ａが配設されている。突出部８３ａは、消しゴムキャップ４０の凹溝４０ａに対応した断面円弧状に形成され、上下方向に二列配置されている。
【００５８】
本変形例の場合、消しゴムキャップ４０の周壁部４０ｂの内周面と当接する、突出部８３ａを有する前側の面が係合部８４とされている。また、消しゴムキャップ４０の周壁部４０ｂの、凹溝４０ａを含んだ内周面の一部が係合部８４と係合する被係合部４２とされている。
【００５９】
係合部８４と被係合部４２とが係合されるとともに、消しゴムキャップ４０の周壁部４０ｂが、挟持部８３により挟持されることにより、消しゴムキャップ４０が、クリップ８０に係着される。
【００６０】
このような構成としても、上述したような消しゴム３０での消し作業に専念することができる。
【００６１】
また、図９、１０に示す実施例のように、消しゴムキャップ４０をシャープペンシル本体２０とクリップ９０に係着させる構成をとることもできる。クリップ９０の下端部には、消しゴムキャップ４０と係合可能な係合部９１が形成されている。係合部９１には、下端部に後側に突出して略左右方向に沿って方向に沿って突出部９１ａが配設されている。突出部９１ａは、消しゴムキャップ４０の凹溝４０ａに対応した断面円弧状に形成され、上下方向に二列配置されている。
【００６２】
シャープペンシル本体２０とクリップ９０の係合部９１とは、前後方向の隙間を消しゴムキャップ４０の周壁部４０ｂの厚みと略同一に形成され、消しゴムキャップ４０の周壁部４０ｂの一部を挟持可能とされている。
【００６３】
また、クリップ９０の前端部には、前端面から後方に向かう断面半円弧状の有底溝として形成されたガイド溝９２が上下方向に沿って配設されている。ガイド溝９２の上端部分と、消しゴムキャップ４０とが、伸縮性を有する線状部材５０により連結されている。
【００６４】
ガイド溝９２により、線状部材５０がガイドされて、消しゴムキャップ４０をシャープペンシル本体２０とクリップ９０に係着させるときに、線状部材５０の取り回しを容易にすることができる。
【００６５】
本変形例では、消しゴムキャップ４０の周壁部４０ｂの、凹溝４０ａを含んだ内周面の一部が係合部９１と係合する被係合部４２とされている。
【００６６】
図１０に示すように、係合部９１と被係合部４２とが係合されるとともに、消しゴムキャップ４０の周壁部４０ｂの一部が、クリップ９０と、シャープペンシル本体２０とで挟持されることにより、シャープペンシル本体２０及びクリップ９０と係着される。
【００６７】
このような構成としても、上述したような消しゴム３０での消し作業に専念することができる。さらに、仮に、消しゴムキャップ４０が外れてしまっても、紛失することを防止することができる。
【００６８】
また、第一の実施形態の変形例を図１１、１２に基づいて説明する。
【００６９】
シャープペンシル本体２０には、図１２（ｂ）の丸内（回動部材２８のみ断面図としている）に示すように、径方向外側に断面半円弧状に突出して形成されたガイド部２６が、円周方向に沿って配設されている。シャープペンシル本体２０のガイド部２６より上側の外周面には、シャープペンシル本体２０の外周面から中心線Ｃ方向に向かう半球状の有底孔として形成された窪み２７が、図１１（ａ）、図１２（ａ）に示すように、円周方向に沿って等間隔に四つ配設されている。
【００７０】
シャープペンシル本体２０は、回動部材２８を備えている。回動部材２８の外周面には、図１１に示すように、消しゴムキャップ４０と係着する係着部２２が配設されている。回動部材２８の内周面には、図１２（ｂ）の丸内に示すように、周方向に沿って、内周面から外周面に向かうガイド部２６に対応した断面円弧状の有底溝として形成された溝２８ａが形成されている。また、回動部材２８の上端側の内周面には、窪み２７に対応した半球状に突出して形成された半球部２８ｂが、円周方向に沿って等間隔に四つ配設されている。
【００７１】
回動部材２８は、クリップ６０と保持部２１の間のシャープペンシル本体２０の外側に嵌められ、ガイド部２６を溝２８ａ内に進入させて配置され、シャープペンシル本体２０の中心線Ｃ方向からみて、シャープペンシル本体２０の中心線Ｃを中心として回動可能とされている。窪み２７に半球部２８ｂを進入させて、係着部２２の位置決めがなされる。
【００７２】
消しゴムキャップ４０と、シャープペンシル本体２０の回動部材２８とは、線状部材５０で連結されている。
【００７３】
このような構成とすれば、回動部材２８を回動させることにより、消す対象を見るときの視線を妨げない位置に、消しゴムキャップ４０の係着位置を調節することが可能となり、消しゴム３０での消し作業をし易くすることができる。
【００７４】
なお、シャープペンシル本体２０に配設される係着部２２の数を三以外の個数に、クリップ６０に配設される係着部６２の数を複数個に、それぞれ変更することができる。
【００７５】
また、線状部材５０は、消しゴムキャップ４０と、シャープペンシル本体２０、シャープペンシル本体２０の回動部材２８、クリップ６０、９０、消しゴムキャップ７０と、シャープペンシル本体２０、クリップ６０とを伸縮自在に連結できるのであれば、天然繊維、金属、金属製のばね部材等を用いることができる。また、線状部材５０は、伸縮自在な部材でない部材を用いる場合には、消しゴムキャップ４０と、シャープペンシル本体２０、シャープペンシル本体２０の回動部材２８、クリップ６０、９０との連結部分、消しゴムキャップ７０と、シャープペンシル本体２０、クリップ６０との連結部分までの長さよりも、少し長めに設定して適用することができる。
【００７６】
また、クリップ６０が、シャープペンシル本体２０に固定されるタイプのシャープペンシルに適用することも可能である。
【００７７】
また、多芯式のシャープペンシル、ボールペンとシャープペンシルとを備えた多芯式のシャープペンシルのいずれであっても適用可能である。
【００７８】
また、突出部２２ａは、一列、あるいは三列以上設けることもできる。
【００７９】
また、回動部材２８の係着部を凹状とし、消しゴムキャップ４０の被係着部を凸状とすることも可能である。
【符号の説明】
【００８０】
１０  シャープペンシル
１０Ａ  シャープペンシル
２０  シャープペンシル本体
２２  係着部
２２１  係着部
２２２  係着部
２２３  係着部
２２ａ  突出部
２２ｂ  切り欠き
２５  係着部
２８  回動部材
３０  消しゴム
４０  消しゴムキャップ
４１  被係着部
４２  被係合部
５０  線状部材
６０  クリップ
６２  係着部
６４  係着部
７０  消しゴムキャップ
７１  被係着部
８０  クリップ
８２  係着部
８３  挟持部
８４  係合部
９０  クリップ
９１  係合部
Ｃ  中心線
【図１】
0003195336.tif 000003
【図２】
0003195336.tif 000004
【図３】
0003195336.tif 000005
【図４】
0003195336.tif 000006
【図５】
0003195336.tif 000007
【図６】
0003195336.tif 000008
【図７】
0003195336.tif 000009
【図８】
0003195336.tif 000010
【図９】
0003195336.tif 000011
【図１０】
0003195336.tif 000012
【図１１】
0003195336.tif 000013
【図１２】
0003195336.tif 000014